【手続補正書】
【提出日】平成17年10月20日(2005.10.20)
【手続補正１】
【補正対象書類名】明細書
【補正対象項目名】発明の名称
【補正方法】変更
【補正の内容】
【発明の名称】画像形成システムおよびプリンタドライバ
【手続補正２】
【補正対象書類名】明細書
【補正対象項目名】特許請求の範囲
【補正方法】変更
【補正の内容】
【特許請求の範囲】
【請求項１】
印刷ジョブの実行を指示する情報処理装置と、
前記印刷ジョブに基づいて画像を形成する画像形成装置とを備える画像形成システムであって、
前記情報処理装置は、
前記印刷ジョブに関する複数頁分の画像情報を印刷情報に変換する変換手段と、
前記画像情報を記憶する記憶手段と、
前記記憶手段から前記画像情報を読み出し、該画像情報を修正する入力手段と、
前記印刷ジョブに関して、前記記憶手段に記憶された前記画像情報と、前記入力手段により修正された前記画像情報とを比較して修正頁部分の画像情報を検出する差分検出手段と、
前記検出された修正頁部分の前記画像情報を前記変換手段により印刷情報に変換させ、
該変換された修正頁部分の前記印刷情報を前記画像形成装置に出力するように制御する制御手段と
を備えることを特徴とする画像形成システム。
【請求項２】  
前記情報処理装置が前記画像形成装置に対して、前記複数頁分の画像情報に基づいて同一の頁に画像を形成する指示を行う際に、
前記制御手段は、前記差分検出手段により検出された前記修正頁部分の前記画像情報を含む前記同一の頁に画像形成される前記画像情報を前記変換手段により前記印刷情報に変換させ、
変換後の印刷情報を前記画像形成装置へ出力するように制御することを特徴とする請求項１に記載の画像形成システム。
【請求項３】
前記情報処理装置が前記画像形成装置に対して、前記複数頁分の画像情報に基づいて１枚の記録用紙に画像を形成する指示を行う際に、
前記制御手段は、前記差分検出手段により検出された前記修正頁部分の前記画像情報を含む前記１枚の記録用紙に画像形成される前記画像情報を前記変換手段により前記印刷情報に変換させ、
変換後の印刷情報を前記画像形成装置へ出力するように制御することを特徴とする請求項１に記載の画像形成システム。
【請求項４】  
印刷ジョブに基づいて画像を形成する画像形成装置用のプリンタドライバであって、
該プリンタドライバは、
前記印刷ジョブの実行を指示する機能と、
前記印刷ジョブに関する複数頁分の画像情報を印刷情報に変換させる機能と、
前記画像情報が修正された場合、前記画像情報と前記修正された画像情報とを比較して修正頁部分の画像情報を検出させる機能と、
前記検出された修正頁部分の前記画像情報を前記変換機能により印刷情報に変換させる機能と、
該変換された修正頁部分の前記印刷情報を前記画像形成装置に出力させる機能と
を備えることを特徴とするプリンタドライバ。
【請求項５】  
前記プリンタドライバが前記画像形成装置に対して、前記複数頁分の画像情報に基づいて同一の頁に画像を形成する指示を行う際に、
検出された前記修正頁部分の前記画像情報を含む前記同一の頁に画像形成される前記画像情報を前記印刷情報に変換させ、
変換後の印刷情報を前記画像形成装置へ出力させることを特徴とする請求項４に記載のプリンタドライバ。
【請求項６】  
前記プリンタドライバが前記画像形成装置に対して、前記複数頁分の画像情報に基づいて１枚の記録用紙に画像を形成する指示を行う際に、
検出された前記修正頁部分の前記画像情報を含む前記１枚の記録用紙に画像形成される前記画像情報を前記印刷情報に変換させ、
変換後の印刷情報を前記画像形成装置へ出力するように制御することを特徴とする請求項４に記載のプリンタドライバ。
【手続補正３】
【補正対象書類名】明細書
【補正対象項目名】０００１
【補正方法】変更
【補正の内容】
【０００１】
【発明の属する技術分野】
この発明は、複数頁分の画像情報に基づいて画像を形成する複合機、プリンタ等に適用して好適な画像形成システム及びプリンタドライバに関するものである。
【手続補正４】
【補正対象書類名】明細書
【補正対象項目名】００１１
【補正方法】変更
【補正の内容】
【００１１】
そこで、この発明は上述した課題を解決したものであって、差分印刷の際に、情報処理装置から画像形成装置へのデータ転送時間を短縮できると共に、画像形成装置における印刷時間を短縮できるようにした画像形成システム及びプリンタドライバを提供することを目的とする。
【手続補正５】
【補正対象書類名】明細書
【補正対象項目名】００１２
【補正方法】変更
【補正の内容】
【００１２】
【課題を解決するための手段】
前記課題を解決するために、本発明に係る画像形成システムは、印刷ジョブの実行を指示する情報処理装置と、印刷ジョブに基づいて画像を形成する画像形成装置とを備える画像形成システムであって、情報処理装置は、印刷ジョブに関する複数頁分の画像情報を印刷情報に変換する変換手段と、画像情報を記憶する記憶手段と、記憶手段から画像情報を読み出し、該画像情報を修正する入力手段と、印刷ジョブに関して、記憶手段に記憶された画像情報と、入力手段により修正された画像情報とを比較して修正頁部分の画像情報を検出する差分検出手段と、検出された修正頁部分の画像情報を変換手段により印刷情報に変換させ、該変換された修正頁部分の印刷情報を画像形成装置に出力するように制御する制御手段とを備えることを特徴とするものである。
【手続補正６】
【補正対象書類名】明細書
【補正対象項目名】００１３
【補正方法】変更
【補正の内容】
【００１３】
本発明に係る画像形成システムによれば、情報処理装置が印刷ジョブの実行を指示し、この印刷ジョブに基づいて画像形成装置が画像を形成する場合、情報処理装置では、変換手段が印刷ジョブに関する複数頁分の画像情報を印刷情報に変換する。記憶手段には、画像情報が記憶される。入力手段は、記憶手段から画像情報を読み出して該画像情報を修正するようになされる。これを前提にして、差分検出手段では、印刷ジョブに関して、記憶手段に記憶された画像情報と、入力手段により修正された画像情報とが比較され、修正頁部分の画像情報が検出される。制御手段は、差分検出手段で検出された修正頁部分の画像情報を変換手段により印刷情報に変換させ、該変換された修正頁部分の印刷情報を画像形成装置に出力するように制御する。
【手続補正７】
【補正対象書類名】明細書
【補正対象項目名】００１５
【補正方法】変更
【補正の内容】
【００１５】
本発明に係るプリンタドライバは、印刷ジョブに基づいて画像を形成する画像形成装置用のプリンタドライバであって、該プリンタドライバは、印刷ジョブの実行を指示する機能と、印刷ジョブに関する複数頁分の画像情報を印刷情報に変換させる機能と、画像情報が修正された場合、画像情報と修正された画像情報とを比較して修正頁部分の画像情報を検出させる機能と、検出された修正頁部分の画像情報を変換機能により印刷情報に変換させる機能と、該変換された修正頁部分の印刷情報を画像形成装置に出力させる機能とを備えることを特徴とするものである。
【手続補正８】
【補正対象書類名】明細書
【補正対象項目名】００１６
【補正方法】変更
【補正の内容】
【００１６】
本発明に係るプリンタドライバによれば、印刷ジョブに基づいて画像を形成する場合に、プリンタドライバは、印刷ジョブの実行を指示し、この印刷ジョブに関する複数頁分の画像情報を印刷情報に変換させ、画像情報が修正された場合、画像情報と修正された画像情報とを比較して修正頁部分の画像情報を検出させ、ここに検出された修正頁部分の画像情報を印刷情報に変換させ、該変換された修正頁部分の印刷情報を画像形成装置に出力するようになる。
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】変更
【補正の内容】
【００２０】
【発明の実施の形態】
以下、図面を参照しながら、この発明の実施の形態としての画像形成システムおよびプリンタドライバについて説明をする。
【手続補正１２】
【補正対象書類名】明細書
【補正対象項目名】００５７
【補正方法】変更
【補正の内容】
【００５７】
【発明の効果】
本発明に係る画像形成システムによれば、印刷ジョブに関する画像情報と、修正された画像情報とを比較して検出された修正頁部分の画像情報を印刷情報に変換させ、該変換された修正頁部分の印刷情報を画像形成装置に出力するように制御する制御手段を備えるものである。
【手続補正１３】
【補正対象書類名】明細書
【補正対象項目名】００６０
【補正方法】変更
【補正の内容】
【００６０】
本発明に係るプリンタドライバによれば、印刷ジョブに関する画像情報と修正された画像情報とを比較して修正頁部分の画像情報を検出させ、ここに検出された修正頁部分の画像情報を印刷情報に変換させ、該変換された修正頁部分の印刷情報を画像形成装置に出力するようになる。